(57)【要約】【課題】簡単な構造で、ＰＴＰシートを外から視認可能に収納保持することができ、ＰＴＰシートを台紙付きの状態で取り出して確実に保管することができる包装用箱を提供する。【解決手段】ＰＴＰシート７８を取り付ける台紙１４と、台紙１４を収容する箱体１２を、各々別体で備える。箱体１２にはＰＴＰシート７８の錠剤８２が視認可能な透孔５４と、開封用の切断線５２を有する。切断線５２は、破断して開封させると収容された台紙１４の一部が露出する位置に設けられている。台紙１４には、台紙１４の吊り下げ又は自立を可能にする設置手段である挿通孔６６又は折り曲げ線１１６，１２０を備える。【選択図】図１
2018002178.tif 000002
【特許請求の範囲】
【請求項１】
収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙と、前記台紙を収容する箱体が別体で設けられ、前記箱体には前記ＰＴＰシートの前記錠剤が視認可能な透孔と、開封用の切断線が設けられ、前記切断線は、破断して開封させると収容された前記台紙の一部が露出する位置に設けられ、前記台紙にはその台紙の設置手段が設けられていることを特徴とする包装用箱。
【請求項２】
前記箱体の前記切断線は、前記透孔に連続して設けられている請求項１記載の包装用箱。
【請求項３】
前記台紙には、前記設置手段である挿通孔が設けられ、吊り下げて保管可能である請求項１記載の包装用箱。
【請求項４】
前記台紙には、前記設置手段である折り曲げ線が設けられ、前記折り曲げ線で前記台紙の一部を折り曲げて支持体とし、自立させて保管可能である請求項１記載の包装用箱。
【請求項５】
前記台紙の側縁部には、前記側縁部から側方に突出する保持片が、折罫線を介して設けられている請求項１記載の包装用箱。
【発明の詳細な説明】
【技術分野】
【０００１】
この発明は、ＰＴＰシートに台紙を取り付け、さらに箱体の内側に包装する包装用箱に関する。
【背景技術】
【０００２】
従来、ＰＴＰ（プレススルーパッケージ）シートに紙製等の台紙を取り付けて、取り扱いを容易にするとともに、台紙に薬剤についての情報を印刷して多くの情報を消費者に伝えるものがある。また、ＰＴＰシートを、箱体や筒体で包装するものもある。
【０００３】
例えば、特許文献１に開示されているプレススルーパック包装体のシート収容ケースは、ＰＴＰシートを箱体で包装するものであり、ＰＴＰシートを収納するケースの底部へ所定の形状の抜脱あるいはミシン目線又はカット線をＰＴＰ包装体の凹設の開口部領域周縁下へ施し、ケースから容易に錠剤等を取り出すことができる。
【先行技術文献】
【特許文献】
【０００４】
【特許文献１】特開２００３−２２１０６７号公報
【発明の概要】
【発明が解決しようとする課題】
【０００５】
上記背景技術の場合、シート収容ケースには、天板が設けられ、収容したＰＴＰシートを覆うため、外から錠剤の種類や残りの数等を視認することができないものである。またシート収容ケースから取り出した錠剤は、紛失しやすく、取り扱いに注意が必要である。
【０００６】
この発明は、上記背景技術の問題点に鑑みてなされたものであり、簡単な構造で、ＰＴＰシートを外から視認可能に収納保持することができ、ＰＴＰシートを台紙付きの状態で取り出して確実に保管することができる包装用箱を提供することを目的とする。
【課題を解決するための手段】
【０００７】
本発明は、薬剤等の収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙と、前記台紙を収容する箱体が別体で設けられ、前記箱体には前記ＰＴＰシートの前記錠剤が視認可能な透孔と、開封用の切断線が設けられ、前記切断線は、破断して開封させると収容された前記台紙の一部が露出する位置に設けられ、前記台紙には、その台紙の吊り下げまたは自立を可能にする設置手段が設けられている。
【０００８】
また、前記箱体の前記切断線は、前記透孔に連続して設けられている。
【０００９】
また、前記台紙は、前記ＰＴＰシートを挟んで保持する第１側面と第２側面が折罫線を介して連結して設けられ、前記第１側面と前記第２側面には、前記ＰＴＰシートを挟んで互いに重ねられた時に互いに一致する前記設置手段である挿通孔が各々設けられている。これにより吊り下げて保管が可能である。
【００１０】
また、前記台紙は、前記ＰＴＰシートを挟んで保持する第１側面と第２側面が折罫線を介して連結して設けられ、前記第１側面又は前記第２側面には、前記第１側面又は前記第２側面の一部を折り曲げて支持体とする折り曲げ線が設けられている。これにより自立させて保管が可能である。
【００１１】
前記台紙の側縁部には、前記側縁部から側方に突出する保持片が、折罫線を介して設けられている。
【発明の効果】
【００１２】
本発明の簡単な構造で、ＰＴＰシートを安全に箱体で収納保持することができ、誤飲を防ぐとともに、目につきやすい状態で置いておくことができるので飲み忘れも防止することができる。箱体の外から、収容しているＰＴＰシートを視認することができ、収容物を目視で確認することができ便利である。また、簡単な操作により、ＰＴＰシートを台紙付きの状態で取り出すことができ、取り扱いやすいものであり、箱体から取り出した後に、確実に保管し、また台紙に印刷された情報を確認することができる。
【図面の簡単な説明】
【００１３】
【図１】この発明の第一実施形態の包装用箱の開封した状態を示す斜視図である。
【図２】この発明の第一実施形態の包装用箱の斜視図である。
【図３】この発明の第一実施形態の包装用箱の展開図である。
【図４】この発明の第二実施形態の包装用箱の開封した状態を示す斜視図である。
【図５】この発明の第二実施形態の包装用箱の斜視図である。
【図６】この発明の第二実施形態の包装用箱の展開図である。
【図７】この発明の第二実施形態の包装用箱の台紙が自立して保管された状態を示す斜視図である。
【発明を実施するための形態】
【００１４】
以下、この発明の実施形態について図面に基づいて説明する。図１〜図３はこの発明の第一実施形態を示すもので、この実施形態の包装用箱１０は、箱体１２の内側に、収容物である錠剤８２等が入れられた後述のＰＴＰシート７８を収容する台紙１４が設けられている。
【００１５】
箱体１２は、紙製等の一枚のブランクシートで形成された箱体形成片１６を組み立てて設けられている。図３は、箱体形成片１６を表面から見た展開図であり、箱体形成片１６は、側面１８，２０，２２，２４が、互いに平行に連接して形成されている。側面１８，２０，２２，２４は、連接方向と直交する幅方向の長さは互いに同じ長さであり、それと直交する長さは側面２０，２４が短くて互いにほぼ等しく、側面１８，２２が長くて互いにほぼ等しい。側面２４の側縁部には、箱体１２の組立状態で側面１８の表面に糊付けされる蓋面２６が設けられている。側面１８，２０，２２，２４、蓋面２６は、各々折罫線２８，３０，３２，３４で区切られている。
【００１６】
側面１８の、側面同士の連接方向に対して直角な方向の両端部には、矩形の外側端面３６が折罫線３８で区切られて各々設けられている。外側端面３６の、折罫線３８と反対側の端部には、小さい差込片４０が折罫線４２で区切られて各々設けられている。側面１８には、折罫線２８と反対側の側縁部が大きく台形状に切り欠かれて取出口４４が形成されている。
【００１７】
側面２２の、側面同士の連接方向に対して直角な方向の両端部には、矩形の内側端面４６が折罫線４８で区切られて各々設けられている。折罫線４８の中心には、切込線５０が各々設けられている。切込線５０は、差込片４０が差し込まれて係止されるものであり、差込片４０の幅よりも少し長く形成され、途中で二か所折り曲げられて中央部分が切込線５０の中央に向かって突出する凸型に形成されている。
【００１８】
蓋面２６には、折罫線３４と反対側の側縁部２６ａに達する一対の切断線５２が、設けられている。切断線５２は、側縁部２６ａの中心付近と、側縁部２６ａに交差する端部２６ｂの折罫線３４から少し離れた位置とを連通する直線である。つまり一対の切断線５２は、側縁部２６ａには側縁部２６ａの中心の両側で少し離れた位置に連通し、側縁部２６ａから離れるにつれて互いの間隔が広くなる傾斜に設けられている。切断線５２は、途中の数か所に切り残された連結部が設けられている。なお切断線５２は、破線に小さい切断線が所定角度で各々設けられたジッパー線やミシン線でもよい。蓋面２６の中心で、後述するＰＴＰシート７８の突出部８０ａに一致する位置には、透孔５４が設けられている。透孔５４は、折罫線３４に近い部分は折罫線３４に対して平行な直線で形成され、側縁部２６ａに近い部分は側縁部２６ａに向かって膨出する円弧で形成され、半円形状になっている。
【００１９】
次に台紙１４について説明する。台紙１４は、後述するＰＴＰシート７８を挟む第１側面５６と第２側面５８が折罫線５９を介して設けられている。第１側面５６と第２側面５８は互いに同形状で折罫線５９に対して平行な方向が長い矩形である。第１側面５６の中心には、ＰＴＰシート７８の突出部８０ａが差し込まれる透孔６０が設けられている。透孔６０は、折罫線５９に対して平行な方向を長径とする長丸形状である。折罫線５９に交差する一方の端部近傍には、吊り下げ用の挿通孔６２が設けられている。挿通孔６２は、正円形状である。第２側面５８にも、折罫線５９で第１側面５６に折り重ねた時に透孔６０と挿通孔６２に対向する位置に、同形状の透孔６４と挿通孔６６が設けられている。
【００２０】
各折罫線には、折りやすくするために切断線が設けられてもよい。また、各側面と外側端面３６と、台紙１４の第１側面６８と第２側面７２の表面には、ＰＴＰシート７８に収容する錠剤８２についての情報が印刷されている。
【００２１】
ここで、包装用箱１０に収容するＰＴＰシート７８について説明する。ＰＴＰシート７８は、プラスチック成形体８０が設けられ、プラスチック成形体８０には、収容物である錠剤８２を収容する突出部８０ａと、突出部８０ａの周縁部のフランジ部８０ｂが設けられている。ここでは、１個の突出部８０ａがプラスチック成形体８０の中心に設けられたものである。プラスチック成形体８０のフランジ部８０ｂには、突出部８０ａの突出方向と反対の面に薄いアルミ製の蓋材シート８４が貼り付けられ、突出部８０ａが閉鎖されている。
【００２２】
次に、包装用箱１０の組立方法について説明する。ここでは図３が箱体形成片１６と台紙１４の表面を見たものであり、表面が凸になる折り方を正折り、そして裏面が凸になる折り方を逆折りと称する。まず、ＰＴＰシート７８と台紙１４の取り付けについて説明する。第１側面５６に、ＰＴＰシート７８のプラスチック成形体８０側の面を重ねて取り付ける。このとき、透孔６０にＰＴＰシート７８の突出部８０ａを差し込む。そして、第２側面５８の裏面に糊６７を塗布する。糊６７は、透孔６４の両脇で、いずれも折罫線５９に対して略平行な直線形状に塗布する。そして、折罫線５９を正折りして、第１側面５６の裏面にＰＴＰシート７８を挟みながら第２側面５８を糊付けする。このようにして台紙１４は畳み状態となり、ＰＴＰシート７８を保持した状態となる。ＰＴＰシート７８の、プラスチック成形体８０の突出部８０ａの裏面には透孔６４が位置し、挿通孔６２と挿通孔６６は互いに連通する。これでＰＴＰシート７８の、台紙１４の取り付けが完了する。
【００２３】
次に、箱体１２の組み立てについて説明する。箱体形成片１６の蓋面２６の、側縁部２６ａ、端部２６ｂ、切断線５２で囲まれた三角形の部分の、２か所の裏面に各々糊６８を塗布する。折罫線３０を正折りし、その後折罫線３４を正折りし、側面１８の表面に蓋面２６を糊付けする。
【００２４】
次に、折罫線２８，３０，３２，３４を各々９０°に正折りして四角形の筒体にする。開口する端部からＰＴＰシート７８を取り付けた台紙１４を内側に入れる。台紙１４の第１側面５６が蓋面２６に重なるように入れ、蓋面２６の透孔５４からＰＴＰシート７８の突出部８０ａが視認される。そして、筒体の両端部に位置する内側端面４６を折罫線４８で正折りし、その外側に外側端面３６を折罫線３８で正折りして重ね、差込片４０を折罫線４２で正折りして切込線５０に差し込み、両端部を閉鎖する。これで包装用箱１０の組み立てが完了し、図２に示す状態となる。なお、組み立てる順番は上記以外でもよい。
【００２５】
包装用箱１０から錠剤８２を取り出す時は、蓋面２６の側縁部２６ａの中心を保持して引き上げて、一対の切断線５２を切断する。蓋面２６は一対の切断線５２で３分割され、一対の切断線５２で挟まれた中央部分が開き、開封される。開封した部分には、側面１８の取出口４４が位置し、台紙１４が露出する。露出する台紙１４を引き出し、図１に示すように台紙１４を取り出すことができる。
【００２６】
台紙１４には挿通孔６２，６６が設けられ、すぐに服用しない場合等には、錠剤８２を服用するまでフック等に吊り下げて保管することができる。錠剤８２を服用する時は、台紙１４の第１側面５６の透孔６０から突出するＰＴＰシート７８の突出部８０ａを押す。錠剤８２がＰＴＰシート７８の蓋材シート８４に押し付けられて蓋材シート８４は破断し、錠剤８２がＰＴＰシート７８から出て、第２側面５８の透孔６４を通過して取り出される。
【００２７】
この実施形態の包装用箱１０によれば、ＰＴＰシート７８を安全に箱体１２で収納保持することができ、誤飲や誤って錠剤が落下してしまうこと等を防ぐことができる。箱体１２の透孔５４から、収容しているＰＴＰシート７８の錠剤８２を確認することができ、目につきやすい状態で置いておくこともできるので、飲み忘れも防止することができる。さらに、台紙１４の挿通孔６２，６６により、フック等に吊り下げて保管することができるので、より目につきやすくして確実に飲み忘れを防止することができる。また、簡単な操作により、ＰＴＰシート７８を台紙１４に取り付けた状態で取り出すことができ、取り扱いやすいものであり、箱体１２から取り出した後に、台紙１４に印刷された情報を確認することができる。さらに、箱体１２はシンプルな形状であり、包装作業を簡易なものとすることができる。
【００２８】
次にこの発明の第二実施形態について図４〜図７に基づいて説明する。なお、ここで、上記実施形態と同様の部材は同様の符号を付して説明を省略する。この実施形態の包装用箱８６は、箱体１２の内側に、収容物である錠剤８２等が入れられた後述のＰＴＰシート７８を収容する台紙１４が設けられている。
【００２９】
箱体１２は、紙製等の一枚のブランクシートで形成された箱体形成片１６を組み立てて設けられている。図６は、箱体形成片１６を表面から見た展開図であり、箱体形成片１６は、側面１８，２０，２２，２４が、互いに平行に連接して形成されている。側面２４の側縁部には、箱体１２の組立状態で側面１８の裏面に糊付けされる糊付片８８が設けられている。側面１８，２０，２２，２４、糊付片８８は、各々折罫線２８，３０，３２，３４で区切られている。
【００３０】
糊付片８８は、側面２４との連接方向の幅が側面２４よりも少し長く設けられ、側面２４との連接方向に交差する長さは側面２４とほぼ同じである。糊付片８８には、側面２４との連接方向に対して略平行な折罫線９０が設けられ、折罫線９０は、糊付片８８の、側面２４との連接方向に対して略平行な一方の端部８８ａの近傍に設けられている。
【００３１】
側面２４の、側面同士の連接方向に対して直角な方向の両端部には、矩形のフラップ９２が折罫線９４で区切られて各々設けられている。側面２４には、糊付片８８の折罫線９０に連続する切断線９６が設けられている。切断線９６は、途中の一か所で切り残され、連結部が設けられている。切断線９６は、折罫線３４に交差する位置よりも、折罫線３２に交差する位置が、端部８８ａに隣接する折罫線９４から離れる方向に傾斜している。
【００３２】
側面２２の、側面同士の連接方向に対して直角な方向の両端部には、矩形の端面９７が折罫線９８で区切られて各々設けられている。端面９７の、折罫線９８と反対側の端部には、差込片１００が折罫線１０２で区切られて各々設けられている。側面２２には、側面２４の切断線９６に連続する切断線１０４が設けられ、切断線１０４は中心が折罫線９８から離れるように膨出する円弧形状であり、切断線１０４は、途中の数か所で切り残され、連結部が設けられている。側面２２の中心で、ＰＴＰシート７８の突出部８０ａに一致する位置には、透孔１０６が設けられている。透孔１０６は、折罫線３２に対して平行な方向を長径とする長丸形状であり、切断線１０４側の端部は切断線１０４に連結し、切断線１０４に沿う直線となり、切断線１０４と反対側の端部は曲線で形成され、長丸が半分に切断されたような形状となっている。
【００３３】
側面２０の、側面同士の連接方向に対して直角な方向の両端部には、矩形のフラップ１０８が折罫線１１０で区切られて各々設けられている。側面２０には、側面２２の切断線１０４に連続する切断線１１２が設けられている。切断線１１２は、途中の一か所で切り残され、連結部が設けられている。切断線１１２は、折罫線３０に交差する位置よりも、折罫線２８に交差する位置が、端部８８ａの延長線上に位置する折罫線１１０に近づく方向に傾斜している。
【００３４】
側面１８の、側面同士の連接方向に対して直角な方向の両端部には、何も設けられていない。側面１８には、側面２０の切断線１１２に連続する折罫線１１４が設けられている。折罫線１１４は、側面同士の連接方向に対して平行である。
【００３５】
次に台紙１４について説明する。台紙１４は、第１側面５６と第２側面５８が折罫線５９を介して設けられている。第１側面５６の中心には透孔６０が設けられている。折罫線５９に交差する一方の端部５６ｂ近傍には、折罫線５９に対して直角に位置する折り曲げ線１１６が設けられている。第１側面５６の、折罫線５９に対して平行な側縁部５６ａには、保持片１１８が折罫線１１９で区切られて設けられている。保持片１１８は、側縁部５６ａから外側に円弧状に突出する半円形状であり、折り曲げ線１１６とは反対側の端部５６ｃの近傍に位置している。第２側面５８にも、折罫線５９で第１側面５６に折り重ねた時に透孔６０と折り曲げ線１１６に対向する位置に、同形状の透孔６４と折り曲げ線１２０が設けられている。
【００３６】
各折罫線には、折りやすくするために切断線が設けられてもよい。また、各側面と端面９７と、台紙１４の第１側面６８と第２側面７２の表面には、錠剤８２についての情報が印刷されている。保持片１１８には、錠剤８２を服用する時間等の情報が印刷されている。
【００３７】
次に、包装用箱８６の組み立て方法について説明する。ここでは図６が箱体形成片１６と台紙１４の表面を見たものであり、表面が凸になる折り方を正折り、そして裏面が凸になる折り方を逆折りと称する。まず、ＰＴＰシート７８と台紙１４の取り付けについて説明する。第１側面５６に、ＰＴＰシート７８のプラスチック成形体８０側の面を重ねて取り付ける。このとき、透孔６０にＰＴＰシート７８の突出部８０ａを差し込む。そして、第２側面５８の裏面に糊６７を塗布する。糊６７は、透孔６４の両脇で、いずれも折罫線５９に対して略平行な直線形状で、折り曲げ線１２０に達しない長さに塗布する。そして、折罫線５９を正折りして、第１側面５６の裏面にＰＴＰシート７８を挟みながら第２側面５８を糊付けする。このようにして台紙１４は畳み状態となり、ＰＴＰシート７８を保持した状態となる。これでＰＴＰシート７８の、台紙１４の取り付けが完了する。
【００３８】
次に、箱体１２の組み立てについて説明する。箱体形成片１６の糊付片８８の表面に、糊１２２を塗布する。糊１２２は、折罫線３４に対して平行な直線に塗布する。折罫線３２を正折りし、その後折罫線２８を正折りし、側面１８の裏面に糊付片８８を糊付けする。
【００３９】
次に、折罫線２８，３０，３２，３４を各々９０°に正折りして四角形の筒体にする。開口する端部からＰＴＰシート７８を取り付けた台紙１４を内側に入れる。台紙１４の第１側面５６が側面２２に重なるように入れ、側面２２の透孔１０６からＰＴＰシート７８の突出部８０ａが視認される。このとき、第１側面５６の端部５６ｃが、側面２２の切断線１０４に近い方の折罫線９８に向くようにセットする。保持片１１８は、折罫線１１９で正折りし、第１側面５６の表面に折り畳み、邪魔にならない。そして、筒体の両端部に位置するフラップ９２，１０８を折罫線９４，１１０で正折りして、端面９７を折罫線９８で正折りし、差込片１００を折罫線１０２で正折りして側面１８の裏面に差し込み、両端部を閉鎖する。これで箱体１２の組み立てが完了する。なお、組み立てる順番は上記以外でもよい。
【００４０】
包装用箱８６から錠剤８２を取り出す時は、側面２２の透孔１０６に指をかけて切断線１０４側の端部を引き上げ、一対の切断線１０４を切断する。側面２２は一対の切断線１０４と透孔１０６で２分割され、押し広げると側面２０の切断線１１２と、側面２４の切断線９６も連続して連結部が破断して分割され、箱体１２の一部が側面１８の折罫線１１４を中心に回転し、図４に示すように開封する。露出する台紙１４を引き、台紙１４を取り出すことができる。
【００４１】
台紙１４には折り曲げ線１１６，１２０が設けられ、図７に示すように、折り曲げ線１１６，１２０を、適宜９０°までの角度で開いて逆折りし、第１側面５６と第２側面５８の端部５６ｂ側を支持体とし、自立させる。その他、折罫線５９を下にして、横置きにすることもできる。そして、錠剤８２を服用するまで、机や棚に自立させて保管する。折罫線１１９は、折罫線１１９の折り曲げを復元して第１側面５６とほぼ面一に、側縁部５６ａの外側へ伸ばす。保持片１１８が突出することで視認性が向上し、保持片１１８に印刷された情報が見やすくなる。また、台紙１４を持ち上げるため保持片１１８を保持してもよい。錠剤８２を服用する時は、台紙１４の第１側面５６の透孔６０から突出するＰＴＰシート７８の突出部８０ａを押す。錠剤８２がＰＴＰシート７８の蓋材シート８４に押し付けられて蓋材シート８４は破断し、錠剤８２がＰＴＰシート７８から出て、第２側面５８の透孔６４を通過して取り出される。
【００４２】
この実施形態の包装用箱８６によれば、上記実施の形態と同様の効果を有するものである。錠剤８２を確認する透孔１０６を、開封のきっかけとして使用することができ、開封する位置がわかり易い。また、台紙１４を自立させて目立つようにすることができ、使用者の近くの机等に自立させて置いておくことで、飲み忘れを防止することができる。縦置きでも横置きでも自立することができ、周囲の状況に合わせて表示することができる。自立させる操作は、折り曲げ線１１６，１２０を９０°近くに逆折りして開くだけであり、誰にでも容易に操作することができる。台紙１４には保持片１１８が設けられ、保持片１１８に錠剤８２を服用する時間等が印刷されているため、使用者の注意を引き、飲む時間を間違えたり、飲み忘れたりすること等を防ぐことができる。
【００４３】
なお、この発明の包装用箱は、上記実施の形態に限定されるものではなく、収容する錠剤の数は適宜変更可能であり、また収容されるものは、錠剤やカプセル等の薬剤に限らず、他の商品でもよい。箱体の各部材の形状は自由に変更可能であり、端面や差込片、蓋面、開封を形成する切断線の、位置や形状等、適宜変更可能である。第一実施形態と、第二実施形態の、箱体と台紙の組み合わせは、交換してもよい。なお、吊り下げ用の透孔の位置や形状は自由に変更可能であり、第１側面と第２側面に互いに一致する位置に設けられたもの以外に、一方の側面のみに設けられ他方の側面の外側に突出する係止片等に設けられてもよい。なお、自立用の一対の折り曲げ線の位置や角度、長さも、自由に変更可能であり、第１側面と第２側面の一方のみに設けられても横置きであれば自立可能であり、その他に台紙がバランスをとって自立するものであれば自由に変更可能である。台紙の設置手段は、吊り下げ用の挿通孔や自立用の折り曲げ線の他のものでもよい。
【符号の説明】
【００４４】
１０，８６  包装用箱
１２  箱体
１４  台紙
５２，１０４  切断線
５４，１０６  透孔
５６  第１側面
５８  第２側面
５９，１１９  折罫線
６２，６６  挿通孔
７８  ＰＴＰシート
８０  プラスチック成形体
８０ａ  突出部
８０ｂ  フランジ部
８２  錠剤
８４  蓋材シート
１１６，１２０  折り曲げ線
１１８  保持片
【図１】
2018002178.tif 000003
【図２】
2018002178.tif 000004
【図３】
2018002178.tif 000005
【図４】
2018002178.tif 000006
【図５】
2018002178.tif 000007
【図６】
2018002178.tif 000008
【図７】
2018002178.tif 000009